(57)【要約】【課題】画面切替え操作と表示に違和感が生じないと共に、同時に複数の映像出力の画面切替え操作を行っても、画面切替え動作に違和感が無く、画面切替え速度が異なっていても、画面切替え動作に違和感が無い情報表示装置を提供する。【解決手段】カーナビゲーション装置１は、ナビゲーション映像を第１表示画面として表示装置２に出力すると共に、表示装置２からの画面切り替え要求の信号によって画面切り替えが行われ、マイコン２１からディスプレイ２３に指定映像ソースを第２表示画面としてディスプレイ２３に出力する。画面切り替えを実行する場合、ナビの画面を切替える操作が行われた場合にはグラフィックマイコン２２はナビに画面切替え要求を行うがその後あえて表示装置２の画面切替えは行わずディスプレイ２３に現在の画面を表示したままにする。１回の画面切替え操作で２回画面が切替ったように見えるという現象を防ぐ。【選択図】図１
2005115252.tif 000002
【特許請求の範囲】
【請求項１】
複数の映像生成部のそれぞれから出力される表示画面データに基づく画面をディスプレイに合成表示させ得る情報表示装置において、
前記ディスプレイに合成表示されている複数画面を、前記映像生成部のそれぞれから出力される表示画面データに基づく新画面に切り替えるときに、既に表示されている複数画面でなる表示をそのまま保持し、当該複数画面を展開させることなく前記新画面に切り替えることを特徴とする情報表示装置。
【請求項２】
前記新画面は、前記複数映像生成部のそれぞれから出力される表示画面データの内の１つが選択されるように構成することを特徴とする請求項１に記載の情報表示装置。
【請求項３】
前記新画面は、前記複数映像生成部のそれぞれから出力される表示画面データの内の複数が選択され、該選択されたデータに基づく合成表示をし得るように構成することを特徴とする請求項１に記載の情報表示装置。
【請求項４】
前記合成表示は、複数画面を重ね合わせて表示し得るように構成することを特徴とする請求項１乃至請求項３のいずれかに記載の情報表示装置。
【請求項５】
前記合成表示は、１つの画面を全画面表示し、該全画面表示の一部領域に別画面を挿入し得るように構成することを特徴とする請求項１乃至請求項３のいずれかに記載の情報表示装置。
【請求項６】
前記新画面への切り替えは、前記新画面の描画準備が完了するまで既表示をそのまま保持するように構成することを特徴とする請求項１乃至請求項５のいずれかに記載の情報表示装置。
【発明の詳細な説明】
【技術分野】
【０００１】
本発明は、複数の映像生成部のそれぞれから出力される表示画面データに基づく画面をディスプレイに合成表示させ得る情報表示装置の改良に関する。
【背景技術】
【０００２】
この種の情報表示装置は、カーナビゲーション装置、情報機器、携帯電話機で構成されたり他種機器に対応して構成され、カーナビゲーション装置の場合には、複数の映像生成部、即ち、カーナビゲーションの基本機能を表示する画面、テレビ放送の受信画面、車両状態の異常を表示する画面等々の複数の映像生成部から出力される表示画面をディスプレイに表示させ得るように構成されている。
【０００３】
操作部により操作情報を取得し、グラフィックマイコンにより操作情報を解析し、ディスプレイに現在表示している画面を元に、操作によって表示画面をディスプレイに描画する。また操作によっては、グラフィックマイコンはシステムマイコンに対して映像ソース切替え要求やナビ画面切替え要求を送信した後に表示画面をディスプレイに描画する。ただし、ＴＶ受信画面等の映像ソースと、前記ナビ画面とは独立した映像生成部を有していて、お互いの表示画面については関知しないように構成される。
【０００４】
そして、任意のナビ画面と表示装置画面（ＴＶ画面）が重なった画面（現在表示画面）から新画面に切り替える場合には、その動作ステップが図７に示すフローチャートのようになり、現在表示されている任意のナビ映像と表示装置画面が重ねられた画面が表示されることによってスタートし、次のステップＳ６で画面切り替えボタン等の操作が実行されたことが検知されるとステップＳ７に進んで、システムマイコン２１経由で画面切り替えの指令が発せられ、ステップＳ８に移行する。
【０００５】
ステップＳ８は映像装置表示の画面を確定した後にステップＳ９に進んで新表示の画面が描画される。
【０００６】
現在画面と新画面への切り替えは、例えば図８に示すように、現在画面が第１ナビ画面ａとＴＶ受信画面Ａが重ね合わされた表示であった場合（図８中の左列参照）、実際の表示はＴＶ受信画面Ａがナビ画面処理回路を通らないためにＴＶ受信画面Ａ（図８中の右列参照）のようになり、この時点で画面切り替え指令がされたときには、ＴＶ受信画面Ａはシステムマイコンを経由しない分だけ第１ナビ画面ａの切り替えより早いので、ＴＶ受信画面Ｂが第１ナビ画面ａと一緒に表示される。
【０００７】
しかる後に、第１ナビ画面ａが第２ナビ画面ｂに変換処理された時点で先程のＴＶ受信画面Ｂと一緒に第２ナビ画面ｂが表示される。
【発明の開示】
【発明が解決しようとする課題】
【０００８】
従来の映像切替え技術ではナビの映像切替えタイミングを一切考慮していないため、ナビ映像の上に表示装置画面を重ねて表示している画面で一回の操作でナビ映像と表示装置画面両方を同時に切替える必要がある場合、２回画面が切替ったように見えてしまう。
【０００９】
例えば図８に示すように１回の切り替え操作によって、ＴＶ受信画面Ａが第１ナビ画面ａとＴＶ受信画面Ｂの表示とされ、次に第１ナビ画面ｂとＴＶ受信画面Ｂにされてしまうので、実際の操作指令（操作は１回）と画面切替え動作（画面切替えは２回発生）が一致しないためユーザーに非常な違和感を生じさせてしまう。
【００１０】
そこで、本発明の目的は、任意の映像出力装置と組み合わせても画面切替え操作と表示に違和感が生じないと共に、同時に複数の映像出力の画面切替え操作を行っても、画面切替え動作に違和感が無く、画面切替え速度が異なっていても、画面切替え動作に違和感が無い情報表示装置を提供することにある。
【課題を解決するための手段】
【００１１】
前記課題を解決するため、本発明による情報表示装置は、次に列挙するような特徴的構成を採用している。
【００１２】
(１）複数の映像生成部のそれぞれから出力される表示画面データに基づく画面をディスプレイに合成表示させ得る情報表示装置において、
前記ディスプレイに合成表示されている複数画面を、前記映像生成部のそれぞれから出力される表示画面データに基づく新画面に切り替えるときに、既に表示されている複数画面でなる表示をそのまま保持し、当該複数画面を展開させることなく前記新画面に切り替えるように構成する情報表示装置。
【００１３】
（２）前記新画面は、前記複数映像生成部のそれぞれから出力される表示画面データの内の１つが選択されるように構成する上記（１）に記載の情報表示装置。
【００１４】
(３)前記新画面は、前記複数映像生成部のそれぞれから出力される表示画面データの内の複数が選択され、該選択されたデータに基づく合成表示をし得るように構成する上記（１）に記載の情報表示装置。
【００１５】
(４)前記合成表示は、複数画面を重ね合わせて表示し得るように構成する上記（１）乃至上記（３）のいずれかに記載の情報表示装置。
【００１６】
(５)前記合成表示は、１つの画面を全画面表示し、該全画面表示の一部領域に別画面を挿入し得るように構成する上記（１）乃至上記（３）のいずれかに記載の情報表示装置。
【００１７】
（６）前記新画面への切り替えは、前記新画面の描画準備が完了するまで既表示をそのまま保持するように構成する上記（１）乃至上記（５）のいずれかに記載の情報表示装置。
【発明の効果】
【００１８】
本発明による情報表示装置は、ディスプレイに合成表示されている複数画面を、前記映像生成部のそれぞれから出力される表示画面データに基づく新画面に切り替えるときに、既に表示されている複数画面でなる表示をそのまま保持し、当該複数画面を展開させることなく前記新画面に切り替えるように構成しているので、画面切替え操作と実際の画面切替え動作を一致させることができる。
【００１９】
このために、任意の映像出力装置と組み合わせても画面切替え操作と表示に違和感がなく、同時に複数の映像出力の画面切替え操作を行っても、画面切替え動作に違和感が無く、画面切替え速度が異なっていても、画面切替え動作に違和感が無いという効果がある。
【実施例１】
【００２０】
本発明の実施の形態を［実施例１］として図１乃至図６を参照しながら説明する。
【００２１】
本発明による情報表示装置を含む電子装置は、カーナビゲーション装置１が接続された表示装置２に統合ＥＣＵ３が接続されることによって全体システムが構成される。表示装置２は、システムマイコン２１を有し、これに統合ＥＣＵ３が接続されて複合的な動作機能を得るように構成され、該システムマイコン２１にはグラフィックマイコン２２とディスプレイ２３が接続され、このグラフィックマイコン２２には操作部２４が接続されている。
【００２２】
カーナビゲーション装置１は、ナビゲーション映像をナビ画面として出力すると共に、表示装置２から出力される画面切り替え要求の信号によって画面切り替えが行われ、システムマイコン２１からディスプレイ２３に指定映像ソース（ナビ検索機能、グラフィック機能）としてＴＶ受信画面をディスプレイ２３に出力し、グラフィックマイコン２２から出力される映像ソース切り替え要求の信号とナビ検索画面の切り替え要求の信号がシステムマイコン２１に入力される。
【００２３】
本実施例では、１回の操作に対して表示装置の画面切替えとナビの画面切替えを両方とも表示してしまう問題を回避するために、ナビの画面を切替える操作が行われた場合にはグラフィックマイコン２２はナビに画面切替え要求を行うがその後あえて表示装置２の画面切替えは行わずディスプレイ２３に現在の画面を表示したままにする。
【００２４】
その間ナビ画面切替え要求はグラフィックマイコン２２を経由してシステムマイコン２１からカーナビゲーション装置１に送出され、画面切替えが行われる。（この間は表示装置２のディスプレイ２３の画面は変わらないのでナビ画面が切替る様子はユーザーにはわからない）そして表示装置２はナビ画面が切替ったころを見計らって画面切替えを行う。これにより、１回の画面切替え操作で２回画面が切替ったように見えるという現象を防ぐことができる。
【００２５】
即ち、図２に示すフローチャートに一例を示すように、ユーザーがナビ映像と表示装置画面が重なった画面でナビ画面と表示装置画面両方を切替る操作を行うと、先ずステップＳ１でグラフィックマイコン２２がユーザーの操作内容を検知し、グラフィックマイコン２２は操作内容によりナビ映像を切替える必要があるため、システムマイコン２１に対してナビ映像切替え要求を行う（システムマイコン２１はそのままナビに対して映像切替え要求を行う）。
【００２６】
しかる後、ステップＳ３に移行し、グラフィックマイコン２２は表示装置２のディスプレイ２３に表示する画面を確定する（但し、この時点ではディスプレイ２３の表示は変わらない）。
【００２７】
次のステップＳ４にてグラフィックマイコン２２はシステムマイコン２１にナビ画面切替え要求を送信してから指定時間（ナビの画面が切替るのに十分な時間）経過するまで何も行わず待ちつづけ、指定時間が経過したときにステップＳ５に進んで確定した画面を描画することによってディスプレイ２３の実際表示が切り替わる。
【００２８】
現在画面と新画面への切り替えは、例えば図３に示すように、現在画面が第１ナビ画面ａとＴＶ受信画面Ａが重ね合わされた表示であった場合（図３中の左列参照）、実際の表示はＴＶ受信画面Ａがナビ画面処理回路を通らないためにＴＶ受信画面Ａ（図３中の右列参照）のようになり、この時点で画面切り替え指令がされたときには、ＴＶ受信画面Ａはシステムマイコンを経由しない分だけ第１ナビ画面ａの切り替えより早いので、従来は、ＴＶ受信画面Ｂが第１ナビ画面ａと一緒に表示されるのであるが、本発明ではＴＶ受信画面Ａのままであり、第１ナビ画面ａからＴＶ受信画面Ａへの切り替えができるがあえて切り替えないようにしている。
【００２９】
しかる後に、第１ナビ画面ａが第２ナビ画面ｂに変換処理された時点で先程のＴＶ受信画面Ａと一緒に表示し得る状態であるがディスプレイ２３の画面は変化されないのでＴＶ受信画面Ａのままであり、ユーザにはその処理の変化を分からないようにしている。
【００３０】
そして、第１ナビ画面ａから第２ナビ画面ｂへの変換変化が完全に完了したことを見計らってから、第２ナビ画面ｂとＴＶ受信画面Ｂを合成した画面が表示されるのである。
【００３１】
よって、１回の切り替え指令に基づく表示は、新画面における一連の処理と描画処理が全て完了するまでは現在画面の状態が保持され、一連処理が完了したときに新画面に切り替えられるため、従来のように切り替え途中で別画面が出現しユーザーに違和感を与えることを解消できる。
【００３２】
なお、カーナビゲーション装置１による基本機能に基づいて表示される画面は、例えば図４に示すように所定の地図の中に、現在位置、目的地、走行車線表示、有料道路料金、地図の拡大縮小指令、渋滞メッセージ等々が重畳表示されたもので、当該画面に重畳してもしくは一部を重ね合わせて例えば図５に示すような操作指令画面、即ち、ルート確認、マイメニュー設定、ナビ設定、情報表示等々の指令画面によって動作指令をユーザーに促すようにしている。
【００３３】
また、補助画面としては、図６に示すように車両の走行状態を示すものとし、前車両との車間距離、外気温、車両ふらつき状態、各種警報等々を表示させた例があり、これらに限定されることなく多種多様な表示態様がある。
【００３４】
本発明による情報表示装置は、［実施例１］に限定されることなく、その要旨を逸脱しない範囲内で種々の変形実施形態を採用することができることは勿論である。
【００３５】
本発明による新画面とは、複数映像生成部のそれぞれから出力される表示画面データの内の１つが選択されるように構成されたり、映像生成部のそれぞれから出力される表示画面データの内の複数が選択され、該選択されたデータに基づく合成表示をし得るように構成されるといういずれを採用するかは任意である。
【００３６】
また、本発明による合成表示とは、複数画面を重ね合わせて表示し得るように構成する例、１つの画面を全画面表示し、該全画面表示の一部領域に別画面を挿入し得るように構成する例のいずれを採用するかは任意である。
【００３７】
さらに、［実施例１］ではカーナビとの組み合わせであるが、表示装置から画面切替えが行える映像出力装置なら何でも適用可能であり、表示装置に対して１つの映像生成部を有する例であるが、映像生成部の数は２、３・・と任意の数でもよく、その映像を任意に合成すればよく、車両に搭載されている表示装置のみならず据え置き型、携帯型であってもよい。
【図面の簡単な説明】
【００３８】
【図１】本発明の実施の形態による［実施例１］の情報表示装置のブロック回路図である。
【図２】図１に示される情報表示装置の詳細動作を説明するためのフローチャートである。
【図３】図１に示される情報表示装置の画面切り替え動作を説明するための原理を模式的に示す図である。
【図４】本発明による表示画面の一例を示す図である。
【図５】本発明による表示画面の他例を示す図である。
【図６】本発明による表示画面のさらに他例を示す図である。
【図７】従来の情報表示装置の基本動作の一例を説明するためのフローチャートである。
【図８】従来の情報表示装置の画面切り替え動作を説明するための原理を模式的に示す図である。
【符号の説明】
【００３９】
１  カーナビゲーション装置
２  表示装置
３  統合ＥＣＵ
２１  システムマイコン
２２  グラフィックマイコン
２３  ディスプレイ
２４  操作部
【図１】
2005115252.tif 000003
【図２】
2005115252.tif 000004
【図３】
2005115252.tif 000005
【図４】
2005115252.tif 000006
【図５】
2005115252.tif 000007
【図６】
2005115252.tif 000008
【図７】
2005115252.tif 000009
【図８】
2005115252.tif 000010